(57)【要約】      （修正有）【課題】地上デジタル放送を受信してシーク処理又はスキャン処理によるプリセットを行う際の処理時間を短くする。【解決手段】シーク処理又はスキャン処理を開始すると、３セグメント分に相当する狭い通過帯域幅ＢＷbに決められた狭帯域フィルタ１５bでＩＦ信号ＩＦ0を帯域制限し、通過した狭帯域通過信号ＩＦbのスペクトルパワーをレベル検波部１７がレベル検波することでそのレベル値を求めて、所定の閾値と比較する。そして、閾値の方が大きいときにはアナログテレビ放送を受信したとレベル検波部１７が判定し、シーク又はスキャン処理の対象から外す。レベル値の方が大きいときにはデジタル放送を受信した判定し、制御部１８が、復調処理等を行う後段部１６から出力されるパケットエラーレートのデータＰＥＲに基づいて受信状態の良否を判断し、受信状態が良いと判断すると、その受信したデジタル放送のチャンネル周波数をプリセットする。【選択図】図２
2006115149.tif 000002
【特許請求の範囲】
【請求項１】
チャンネル帯域幅に複数のセグメントが多重化されて送信されてくるデジタル放送とアナログ放送とが混在する地上放送を受信し、シーク又はスキャン処理を行うデジタル受信機であって、
前記シーク又はスキャン処理の際、前記放送波を受信して同調周波数に基づいて周波数変換される中間周波信号を、前記チャンネル帯域幅より狭い通過帯域幅で帯域制限することにより、狭帯域通過信号を生成する狭帯域フィルタ手段と、
前記狭帯域通過信号のレベルを検波し、検波したレベル値に基づいて、前記同調周波数がデジタル放送又はアナログ放送の何れの放送チャンネルに相当するものか判定するレベル検波手段と、
前記レベル検波手段がアナログテレビ放送と判定すると、前記同調周波数を変化させることにより、前記アナログテレビ放送をシーク又はスキャン処理の対象から外す制御手段と、
を備えることを特徴とするデジタル受信機。
【請求項２】
前記狭帯域フィルタ手段の通過帯域幅は、１つの前記セグメントの伝送帯域の１倍以上、３倍以下に相当する範囲の何れかの幅に決められていることを特徴とする請求項１に記載のデジタル受信機。
【請求項３】
前記狭帯域フィルタ手段は、前記デジタル放送を受信する通常受信時において中間周波信号を帯域制限するＩＦフィルタであることを特徴とする請求項１又は２に記載のデジタル受信機。
【請求項４】
チャンネル帯域幅に複数のセグメントが多重化されて送信されてくるデジタル放送とアナログ放送とが混在する地上放送を受信し、シーク又はスキャン処理を行うデジタル受信方法であって、
前記シーク又はスキャン処理の際、前記放送波を受信して同調周波数に基づいて周波数変換される中間周波信号を、前記チャンネル帯域幅より狭い通過帯域幅で帯域制限することにより、狭帯域通過信号を生成する狭帯域フィルタ工程と、
前記狭帯域通過信号のレベルを検波し、検波したレベル値に基づいて、前記同調周波数がデジタル放送又はアナログ放送の何れの放送チャンネルに相当するものか判定するレベル検波工程と、
前記レベル検波手段がアナログテレビ放送と判定すると、前記同調周波数を変化させることにより、前記アナログテレビ放送をシーク又はスキャン処理の対象から外す制御工程と、
を備えることを特徴とするデジタル受信方法。
【発明の詳細な説明】
【技術分野】
【０００１】
本発明は、地上デジタル放送を受信するデジタル受信機に関する。
【背景技術】
【０００２】
近年、地上放送のデジタル化が進められ、新たな放送メデアとして地上デジタル放送が開始されている。
【０００３】
地上デジタル放送では、伝送路符号化方式としてＯＦＤＭ（Orthogonal Frequency Division Multiplexing：直交周波数分割多重）方式、情報源符号化方式及び多重化方式としてＭＰＥＧ-２を採用し、放送局側で１チャンネル当たりの伝送帯域幅（以下「チャンネル帯域幅」と称する）を複数のセグメント（ＯＦＤセグメント）に分割し、番組などのコンテンツ毎に１セグメント又は複数セグメントを組み合わせて送信することにより、受信機側で個別のコンテンツを選択受信することができるようになっている。
【０００４】
すなわち、１セグメント当たりの伝送帯域幅（以下「セグメント帯域幅」と称する）は約０．４６ＭＨｚに決められており、デジタルテレビ放送では、図１（ａ）に模式的に示すように、各チャンネルの伝送帯域幅（６ＭＨｚ）を１３セグメントに分割して１３セグメントを一括送信し、デジタルラジオ放送では、現時点ではＶＨＦ帯アナログテレビの空きチャンネルであるＶＨＦ７チャンネル帯（チャンネル帯域幅４ＭＨｚ）を８セグメントに分割し、これら複数のセグメントを連結送信している。
【０００５】
例えば、大阪圏で実施されているデジタルラジオ放送では、図１（ｂ）に模式的に示すように、いわゆる１セグメント形式で８セグメントの連結送信が行われており、東京圏で実施されているデジタルラジオ放送では、図１（ｃ）に模式的に示すように、８セグメントを５セグメントと３セグメントのグループに分け、５セグメントのグループは１セグメントずつに分けて１セグメント形式とし、残りの３セグメントのグループは３倍のコンテンツが送れる３セグメント形式として、連結送信が行われている。
【０００６】
このように、地上デジタル放送では、各セグメント毎にコンテンツを送信することが可能な方式が採用されているため、デジタル受信機で１３セグメントを一括受信すれば、多様なコンテンツを有するデジタルテレビ放送を受信することができ、１チャンネルのうち一部のセグメントのみを受信する受信機、例えば携帯電話や移動体端末装置やデジタルラジオ受信機等で個別のコンテンツを選択受信することが可能となっている。
【０００７】
なお、以上に述べた地上デジタル放送に関して、非特許文献１等の各種の出版物等で紹介されている。また、デジタルラジオ放送に関して、郵政省郵政事業庁のホームページ（非特許文献２）＜ＵＲＬ：http://www.soumu.go.jp/joho_tsusin/pressrelease/japanese/housou/991129j701.html＞において説明が成されている。
【０００８】
【非特許文献１】ディジタル放送の基礎技術入門  ２００５年４月１５日第２版発行  発行所  ＣＱ出版株式会社
【非特許文献２】郵政省郵政事業庁ホームページ＜ＵＲＬ：http://www.soumu.go.jp/joho_tsusin/pressrelease/japanese/housou/991129j701.html＞  発表日：1999年11月29日（月）、タイトル：地上デジタル音声放送の技術的条件（−電気通信技術審議会答申−）
【発明の開示】
【発明が解決しようとする課題】
【０００９】
ところで、地上デジタル放送が開始されているが、直ちにアナログ放送を廃止したのではユーザにとって不利、不便を招くこととなるため、地上デジタル放送が普及するまでの暫定期間の間は、現用のアナログテレビ放送も並行して放送されるようになっている。
【００１０】
一例として東京圏の場合、デジタルテレビ放送をＵＨＦ帯域の放送チャンネル（２０ch〜２８ch）を使って放送し、現用のアナログテレビ放送をＶＨＦ帯域の放送チャンネル（１ch〜１２ch）とＵＨＦ帯域の放送チャンネル（１４ch、３８ch…等）を使って放送し、デジタルラジオ放送を上述したＶＨＦ帯アナログテレビの空きチャンネルであるＶＨＦ７チャンネル帯を使って放送するようになっている。
【００１１】
また、デジタル放送用チャンネルを確保するため、所定の受信エリアでは、現用のアナログテレビ放送の放送チャンネルを別の放送チャンネルに変更するアナログ周波数変更対策（通称：アナ-アナ変換）が行われることとなっている。
【００１２】
したがって、地上放送が地上デジタル放送に移行し終えるまでの暫定期間では、地上デジタル放送（デジタルテレビ放送とデジタルラジオ放送）と現用のアナログテレビ放送とが放送用周波数の各放送チャンネルに混在した状態で割り当てられて放送されるようになっている。
【００１３】
ところが、このように地上デジタル放送とアナログテレビ放送が混在した状態で放送されると、デジタル受信機側では、次のような問題を招来することとなり、本願発明者は早急な対策が必要であると想起するに至った。
【００１４】
すなわち、デジタル受信機で地上デジタル放送を受信しようとする場合、受信エリア内で受信可能な放送チャンネルを探索してプリセットすべく、シークやスキャン処理を行わせる必要がある。しかし、上述したように地上デジタル放送とアナログテレビ放送が混在した状態で放送されると、従来のデジタル受信機では、デジタル放送とアナログテレビ放送とを区別することなく、アナログテレビ放送をも対象としてシークやスキャン処理を行うこととなるため、プリセットに要する時間が長くなってしまうという問題を生じる。
【００１５】
特に、家庭用などの固定型のデジタル受信機の場合には、ユーザが受信機購入後の初期設定等の際にシーク又はスキャン処理を行っておけば、その後は良好な受信状態の下でデジタル放送を受信することが可能となるが、受信エリアが変化することとなる自動車等の移動体に搭載されるデジタル受信機では、ユーザの利便性や操作性等を考えると、より迅速にシークやスキャン処理を行って受信状態の良好な放送チャンネルをプリセットする必要があることから、早急な対策が必要である。
【００１６】
また、地上デジタル放送では、いわゆるサービス情報として受信エリア毎の放送チャンネルリスト情報を放送するように規格化されているため、その放送チャンネルリスト情報を予め取得しておけば、自動車等の移動体に搭載されるデジタル受信機が受信状態の良好な放送チャンネルをプリセットする際に、該リスト情報を使用して迅速にプリセットできるように思われるが、上述のアナログ周波数変更対策が行われると、予め取得しておいた上述の放送チャンネルリスト情報が旧くなってしまうために対応できなくなる。このことから、放送チャンネルリスト情報を使用しなくとも、より迅速にシークやスキャン処理を行ってプリセットできるようにすることが必要である。
【００１７】
また、未だ地上デジタル放送の放送チャンネルが決められておらず今後の暫定期間の間に決められる受信エリアや、変更される可能性を有する受信エリアもあることから、全ての受信エリアについて地上デジタル放送の放送チャンネルが確定してアナログテレビ放送が廃止となるまでは、予め取得しておいた放送チャンネルリスト情報を利用しても、正確にプリセットできなくなる事態を招くこととなる。このため、放送チャンネルリスト情報を使用しなくとも、より迅速にシークやスキャン処理を行ってプリセットできるようにすることが必要である。
【００１８】
本発明は、このような従来のデジタル受信機における課題に鑑みてなされたものであり、アナログテレビ放送と地上デジタル放送とが混在して送られてくる環境下において、地上デジタル放送を迅速にシーク又はスキャン処理を行い得るデタル受信機及びデジタル放送受信方法を提供することを目的とするものである。
【課題を解決するための手段】
【００１９】
請求項１に記載の発明は、チャンネル帯域幅に複数のセグメントが多重化されて送信されてくるデジタル放送とアナログ放送とが混在する地上放送を受信し、シーク又はスキャン処理を行うデジタル受信機であって、前記シーク又はスキャン処理の際、前記放送波を受信して同調周波数に基づいて周波数変換される中間周波信号を、前記チャンネル帯域幅より狭い通過帯域幅で帯域制限することにより、狭帯域通過信号を生成する狭帯域フィルタ手段と、前記狭帯域通過信号のレベルを検波し、検波したレベル値に基づいて、前記同調周波数がデジタル放送又はアナログ放送の何れの放送チャンネルに相当するものか判定するレベル検波手段と、前記レベル検波手段がアナログテレビ放送と判定すると、前記同調周波数を変化させることにより、前記アナログテレビ放送をシーク又はスキャン処理の対象から外す制御手段と、を備えることを特徴とする。
【００２０】
請求項４に記載の発明は、チャンネル帯域幅に複数のセグメントが多重化されて送信されてくるデジタル放送とアナログ放送とが混在する地上放送を受信し、シーク又はスキャン処理を行うデジタル受信方法であって、前記シーク又はスキャン処理の際、前記放送波を受信して同調周波数に基づいて周波数変換される中間周波信号を、前記チャンネル帯域幅より狭い通過帯域幅で帯域制限することにより、狭帯域通過信号を生成する狭帯域フィルタ工程と、前記狭帯域通過信号のレベルを検波し、検波したレベル値に基づいて、前記同調周波数がデジタル放送又はアナログ放送の何れの放送チャンネルに相当するものか判定するレベル検波工程と、前記レベル検波手段がアナログテレビ放送と判定すると、前記同調周波数を変化させることにより、前記アナログテレビ放送をシーク又はスキャン処理の対象から外す制御工程と、を備えることを特徴とする。
【発明を実施するための最良の形態】
【００２１】
本発明の実施形態について、図２を参照して説明する。同図（ａ）は、本実施形態のデジタル受信機の構成を表したブロック図、同図（ｂ）は、本デジタル受信機に設けられているＩＦフィルタの通過帯域を模式的に表した図、同図（ｃ）（ｄ）は、動作を説明するための図である。
【００２２】
図２（ａ）において、本デジタル受信機１０は、受信アンテナ１１が接続されたＲＦ部１２と、制御部１８からの選局制御信号Ｃfの指示に従って、同調受信すべき周波数（以下「同調周波数」と称する）の局発信号ＬＯを発生する局部発振器１４と、局発信号ＬＯとＲＦ部１２から増幅されて出力されるＲＦ信号ＳRFとを混合することによる周波数変換によってＩＦ信号ＩＦ0を生成して出力する周波数変換部１３と、ＩＦ信号ＩＦ0を帯域制限して出力するＩＦフィルタ部１５と、後段部１６と、レベル検波部１７及び制御部１８とを備えて構成されている。
【００２３】
ここで、ＩＦフィルタ部１５は、図２（ｂ）に示すように、通過帯域幅ＢＷaが１３セグメント（セグメント帯域幅）分に相当する６ＭＨｚに決められたバンドパスフィルタで形成されている第１のＩＦフィルタ（以下「広帯域フィルタ」と称する）１５aと、通過帯域幅ＢＷbが３セグメント分に相当する１．３８ＭＨｚに決められたバンドパスフィルタで形成されている第２のＩＦフィルタ（以下「狭帯域フィルタ」と称する）１５bとを有している。
【００２４】
そして、広帯域フィルタ１５aは、ユーザから指定されたデジタルテレビ放送を受信するために設けられており、ＩＦ信号ＩＦ0を通過帯域幅ＢＷaで帯域制限することにより、１３セグメント分の情報を有するＩＦ信号（以下「広帯域通過信号」と称する）ＩＦaを後段部１６側へ出力する。
【００２５】
狭帯域フィルタ１５bは、ユーザから指定されたデジタルラジオ放送を受信するためと、ユーザから開始の指示がなさたシーク処理又はスキャン処理を行うために設けられており、ＩＦ信号ＩＦ0を通過帯域幅ＢＷbで帯域制限することにより、３セグメント分の情報を有するＩＦ信号（以下「狭帯域通過信号」と称する）ＩＦbを後段部１６側へ出力する。
【００２６】
そして、デジタルテレビ放送を受信する際には、制御部１８から供給される切替制御信号Ｃswに従って、広帯域フィルタ１５aが動作状態、且つ、狭帯域フィルタ１５bが動作停止の状態となることで、ＩＦ信号ＩＦ0を帯域制限した広帯域通過信号ＩＦaがＩＦフィルタ部１５から出力される。
【００２７】
また、デジタルラジオ放送を受信する際には、切替制御信号Ｃswに従って、広帯域フィルタ１５aが動作停止の状態、且つ、狭帯域フィルタ１５bが動作状態となることで、ＩＦ信号ＩＦ0を帯域制限した狭帯域通過信号ＩＦbがＩＦフィルタ部１５から出力される。
【００２８】
また、シーク処理若しくはスキャン処理を行う際にも、切替制御信号Ｃswに従って、広帯域フィルタ１５aが動作停止の状態、狭帯域フィルタ１５bが動作状態となることで、ＩＦ信号ＩＦ0を帯域制限した狭帯域通過信号ＩＦbがＩＦフィルタ部１５から出力される。
【００２９】
後段部１６は、Ａ／Ｄ変換器、復調器、デマルチプレクサ、デコーダ等を備えて構成されている。そして、ＩＦフィルタ部１５から出力される広帯域通過信号ＩＦa又は狭帯域通過信号ＩＦbをＡ／Ｄ変換器がデジタルデータにアナログデジタル変換し、復調器がそのデジタルデータに対して同期処理、ＦＦＴ（高速フーリエ変換）、誤り訂正及び復調処理等を施すことで、トランスポートストリーム（Transport Stream:ＭＰＥＧ-２ ＴＳ）を再生し、更に、デマルチプレクサがそのトランスポートストリームを分離処理することで、音声と映像等のエレメンタリストリーム（Elementary Stream）や、エレメンタリストリームに所定の制御用ヘッダ（Packetized Elementary Stream Header）が付加されているパケッタイズドエレメンタリストリーム（Packetized Elementary Stream）に分けてデコーダに供給し、デコーダが音声と映像等のエレメンタリストリームやパケッタイズドエレメンタリストリームについて、ＭＰＥＧ-２ビデオとＭＰＥＧ-２ ＡＣＣ（Advanced Audio Coding）等に準拠した復号（デコード）処理を施すことにより、放送局側で送信したコンテンツの音声データＳauと映像データＳvd等を再生して出力する。
【００３０】
なお、トランスポートストリーム（ＭＰＥＧ-２ ＴＳ）の構成については、所定の規格（IEC/ISO13818-1）で定められており、当業者に知られていることから、その詳細については割愛するが、放送局側で放送を行う際に、放送番組を構成している音声や映像等のデータをＭＰＥＧ-２ビデオとＭＰＥＧ-２ ＡＣＣ等によってエンコードした後、そのエンコード後のデータを有するエレメンタリストリームやパケッタイズドエレメンタリストリームと称されるパケットを形成すると共に、１又は複数のエレメンタリストリームやパケッタイズドエレメンタリストリームの集合によってトランスポートストリームパケット（Transuport Stream Packet）と称される固定長（１８８バイト）のパケットを形成し、各々のトランスポートストリームパケットを時系列的に並べることでトランスポートストリームを構成して、そのトランスポートストリームに変調を施して電波にして伝送するようになっている。
【００３１】
したがって、後段部１６の上記復調器とデマルチプレクサとデコーダは、放送局側で放送の際に行われた処理と逆の処理を行って、復調処理等によって再生したトランスポートストリームから音声データＳauと映像データＳvd等を再生して出力するようになっている。
【００３２】
レベル検波部１７は、シーク処理又はスキャン処理の際に、制御部１８からの指示に従って、狭帯域通過信号ＩＦbのレベルを検波することにより、狭帯域通過信号ＩＦbのスペクトルパワーを検出する。そして、検波したレベル値ＬＤと所定の閾値ＴＨＤとを比較して、閾値ＴＨＤの方が大きいとき（すなわち、ＬＤ≦ＴＨＤのとき）には、受信した放送がアナログテレビ放送であると判定し、レベル値ＬＤの方が大きいとき（すなわち、ＬＤ＞ＴＨＤのとき）には、受信した放送がデジタル放送（すなわち、デジタルテレビ放送又はデジタルラジオ放送）であると判定し、各々の判定結果を示す判定信号Ｓvを制御部１８へ出力する。
【００３３】
つまり、図２（ｂ）に示したように、狭帯域フィルタ１５bの通過帯域ＢＷbを３セグメントに相当する狭い帯域幅としたことにより、シーク処理又はスキャン処理の際に動作状態となる狭帯域フィルタ１５bに、アナログテレビ放送のＩＦ信号ＩＦ0が入力することとなった場合に生じる狭帯域通過信号ＩＦbのレベル値と、デジタル放送（デジタルテレビ放送又はデジタルラジオ放送）のＩＦ信号ＩＦ0が入力することとなった場合に生じる狭帯域通過信号ＩＦbのレベル値とでは異なった値となり、デジタル放送を受信したときのレベル値の方が大きく、アナログテレビ放送を受信したときのレベル値の方が小さくなるという特性が発揮される。
【００３４】
そこで、閾値ＴＨＤは、デジタル放送を受信したときのレベル値とアナログテレビ放送を受信したときのレベル値との間の値に決められており、レベル検波部１７が閾値ＴＨＤとレベル値を比較することで、どちらの放送を受信したか検出できるようになっている。
【００３５】
制御部１８は、本デジタル受信機１０を集中制御するマイクロプロセッサ（ＭＰＵ）と、ＲＡＭ等の記憶部（図示略）を有して構成されており、更にユーザが操作入力を行うための操作部（図示略）が接続されている。
【００３６】
また、制御部１８は、シーク又はスキャン処理の制御を行い、デジタル放送を受信したかアナログテレビ放送を受信したかの判定を判定信号Ｓvに基づいて行う。
【００３７】
また、シーク又はスキャン処理に際して判定信号Ｓvのみに基づいて、デジタル放送を受信したかアナログテレビ放送を受信したかの判定を行ってもよいが、本実施形態のデジタル受信機１０では、制御部１８は判定信号Ｓvに基づいてデジタル放送を受信したと判定すると、後段部１６が復調処理等を行う際に誤り訂正処理（具体的には、リードソロモン（Reed Solomon）符号）を行って出力するパケットエラーレート（Packet Error Rate）のデータＰＥＲに基づいて更に受信状態の良好なデジタル放送だけを選択する。
【００３８】
そして更に、制御部１８は、その選択したデジタル放送において上述のトランスポートストリームと共に送られてきた伝送多重制御信号（Transmission and Multiplexing Configuration Control：ＴＭＣＣ）と称される制御情報、すなわち放送局側から伝送方式やコンテンツのフレーム構成を受信機側に伝えるためにデジタル放送に含めて送られてくる特別な制御情報を後段部１６から取得し、その制御情報（ＴＭＣＣ）に基づいて、受信したデジタル放送がデジタルラジオ放送かデジタルテレビ放送かの識別を行って、デジタル放送の種類毎に放送チャンネルの周波数を示すデータ（プリセットデータ）を記憶部に記憶させることにより、選局用データベースを作成する。
【００３９】
次に、かかる構成を有するデジタル受信機１０の動作について説明する。なお、ユーザからシーク処理の開始の指示がなされた場合の動作について、図２（ｃ）を参照して説明し、スキャン処理の開始の指示がなされた場合の動作について、図２（ｄ）を参照して説明する。
【００４０】
なお、シーク処理とは、制御部１８の制御の下で、放送周波数の伝送帯域において同調周波数を変化させていき、受信状態の良好な放送チャンネルのデジタル放送を１つでも受信すると、その時点で、その放送チャンネルの周波数を示すプリセットデータを選局用データベースに格納して終了する処理をいう。また、シーク処理では、受信状態の良好な放送チャンネルのデジタル放送が見つからない間は、放送周波数の全伝送帯域についてシークを行った場合でも、ユーザから終了の指示がなされるまで、シーク処理を繰り返すようになっている。
【００４１】
一方、スキャン処理とは、制御部１８の制御の下で、放送周波数の全伝送帯域に亘って同調周波数を変化させていき、受信状態の良好な放送チャンネルが見つかる毎に、その放送チャンネルの周波数を示すプリセットデータを選局用データベースに格納し、更に、その放送チャンネルと操作部に設けられている選局釦スイッチとを対応付けるデータを生成して選局用データベースに格納する処理をいう。したがって、スキャン処理を行った後、ユーザが選局釦スイッチをオン操作するだけで、所望の放送を選局することができる。また、スキャン処理では、放送周波数の全伝送帯域について１回だけスキャン処理を行い、自動的に処理を終了するようになっている。
〈シーク処理の開始の指示がなされた場合の動作〉 
ユーザからの操作入力によって、デジタル放送をプリセットするためのシーク処理の開始の指示がなされると、制御部１８が、図２（ｃ）中の時点ｔ0からシーク処理の制御を開始する。そして、切替制御信号Ｃswによって狭帯域フィルタ１５bを動作状態、広帯域フィルタ１５aを停止状態に設定し、更に選局制御信号Ｃfによって局部発振器１４を制御することで、局発信号ＬＯの同調周波数を既定周波数（デフォルトの周波数）に設定させる。
【００４２】
これにより、受信した放送に基づいて周波数変換部１３から出力されるＩＦ信号ＩＦ0が狭帯域フィルタ１５bによって帯域制限され、狭帯域通過信号ＩＦbがレベル検波部１７に供給されることで、レベル検波が行われる。
【００４３】
ここで、例えば、最初に受信した放送がアナログテレビ放送であった場合、レベル検波部１７は、検出したレベル値ＬＤより閾値ＴＨＤの方が大きいと判定し、アナログテレビ放送を受信したとする判定結果を示す判定信号Ｓvを出力する。
【００４４】
そして、この判定結果（図中、符号「×」で示す）を受けて制御部１８が、直ちに、同調周波数を次の放送チャンネルの周波数に変化させるべく、局部発振器１４を制御する（時点ｔ1）。
【００４５】
次に、時点ｔ1において受信した次のチャンネルの放送が再びアナログテレビ放送たっだ場合、レベル検波部１７が狭帯域通過信号ＩＦbをレベル検波することによって、レベル値ＬＤより閾値ＴＨＤの方が大きいと判定し、アナログテレビ放送を受信したとする判定結果を示す判定信号Ｓvを出力する。そして、この判定結果（図中、符号「×」で示す）を受けて制御部１８が、直ちに、同調周波数を次の放送チャンネルの周波数に変化させるべく、局部発振器１４を制御する（時点ｔ2）。
【００４６】
このように、アナログテレビ放送を受信することとなった場合には、制御部１８が、判定信号Ｓvの判定結果に基づいて、直ちに次の放送チャンネルを受信すべく局発信号ＬＯの同調周波数を変化させことにより、アナログテレビ放送をシーク処理の対象から外して、次のシーク処理に迅速に移行できるようになっている。
【００４７】
次に、図中の時点ｔ2において、デジタル放送を受信することとなった場合、狭帯域フィルタ１５bを通過した狭帯域信号ＩＦbをレベル検波部１７がレベル検波すると、レベル値ＬＤの方が閾値ＴＨＤより大きいと判定し、デジタル放送を受信したとする判定信号Ｓvを出力する。
【００４８】
そして、制御部１８は、この判定結果（図中、符号「◎」で示す）が供給されると、デジタル放送の受信を継続させ、後段部１６が狭帯域通過信号ＩＦbに対して誤り訂正及び復調処理等を行う際に出力するパケットエラーレートのデータＰＥＲを入力し、所定の基準値とを比較することで受信状態の良否を調べ、受信状態が良好でないと判定（図中、符号「＊」で示す）すると、直ちに、同調周波数を次の放送チャンネルの周波数に変化させるべく、局部発振器１４を制御する（時点ｔ3）。なお、受信状態が良好であると判定した場合には、プリセットが行われるが、それについては後述する。
【００４９】
そして、時点ｔ3において同調周波数を変化させたときの狭帯域通過信号ＩＦbのレベル値ＬＤとデータＰＥＲとを判定した結果が、再びデジタル放送を受信したにも関わらず受信状態が良好でなかった場合には、制御部１８は、直ちに、同調周波数を次の放送チャンネルの周波数に変化させるべく、局部発振器１４を制御する（時点ｔ4）。
【００５０】
このように、デジタル放送を受信することとなった場合には、制御部１８が、パケットエラーレートのデータＰＥＲに基づいて受信状態の良否を判定し、受信状態の良好なデジタル放送を受信することとなるまで、同調周波数を次の放送チャンネルの周波数に変化させていく。
【００５１】
次に、図中の時点ｔ4において受信した放送が受信状態の良好なデジタル放送となると、レベル検波部１７及び制御部１８が、狭帯域通過信号ＩＦbのレベル値ＬＤとデータＰＥＲとに基づいて、受信状態の良好なデジタル放送を受信したと判定し、更に制御部１８が、後段部１６から出力される上述の制御情報（ＴＭＣＣ）に基づいて、デジタルラジオ放送を受信したのかデジタルテレビ放送を受信したのかの識別を行う。そして、その識別結果に基づいて、デジタル放送の種類毎に放送チャンネルの周波数を示すデータ（プリセットデータ）を記憶部に記憶させることにより、選局用データベースを作成する（時点ｔps1）。
【００５２】
更に、制御部１８は、上述の識別結果がデジタルラジオ放送であった場合には、狭帯域フィルタ１５ｂを動作状態のままにすることで、デジタルラジオ放送を継続受信させ、上述の識別結果がデジタルテレビ放送であった場合には、狭帯域フィルタ１５ｂの動作を停止させて、広帯域フィルタ１５ａを動作状態に切り替えることで、デジタルテレビ放送を継続受信させる。そして、シーク処理を終了する。
【００５３】
このように、本実施形態のデジタル受信機１０は、図２（ｃ）に例示したように、アナログテレビ放送をシーク処理の対象から迅速に外すことができるため、シーク処理の開始時点ｔ0からプリセット完了の時点ｔps1までに要する時間を短縮化することができ、その結果、例えばユーザに対して優れた利便性と操作性等を提供することができる。
〈スキャン処理の開始の指示がなされた場合の動作〉 
次に、スキャン処理の動作について説明する。 
ユーザからの操作入力によって、スキャン処理の開始の指示がなされると、制御部１８が、図２（ｄ）中の時点ｔ0からスキャン処理の制御を開始する。そして、切替制御信号Ｃswによって狭帯域フィルタ１５bを動作状態、広帯域フィルタ１５aを停止状態に設定し、更に選局制御信号Ｃfによって局部発振器１４を制御することで、局発信号ＬＯの同調周波数を既定周波数（デフォルトの周波数）に設定させる。
【００５４】
そして、例えば図２（ｃ）に示したのと同様に、レベル検波部１７と制御部１８がアナログテレビ放送を受信したと判定した場合や、受信状態の良好でないデジタル放送を受信したと判定した場合には、制御部１８が、直ちに、同調周波数を次の放送チャンネルの周波数に変化させる制御を繰り返する。そして、時点ｔps1において受信状態の良好なデジタル放送を受信すると、制御部１８が制御情報（ＴＭＣＣ）に基づいてそのデジタル放送の種類を識別し、放送チャンネルを示す周波数データ（プリセットデータ）をデジタル放送の種類に対応させて記憶部に記憶させることにより、選局用データベースを作成する。
【００５５】
更に、制御部１８は、放送周波数の全伝送帯域についてスキャンし終えていないと判断すると、選局制御信号Ｃfによって同調周波数を次の放送チャンネルの周波数に変化させ、スキャン処理を継続させる。そして、放送周波数の全伝送帯域についてスキャンし終えるまでの間に、レベル検波部１７と制御部１８が、例えば時点ｔ5で受信状態の良好なデジタル放送を受信することができず、時点ｔps2で受信状態の良好なデジタル放送を受信することができたと判定すると、制御部１８が、時点ｔps2において上述したのと同様のプリセットを行い、時点ｔendにおいて放送周波数の全伝送帯域についてスキャンが完了すると、スキャン処理を終了させる。
【００５６】
このように、本実施形態のデジタル受信機１０は、図２（ｄ）に例示したように、アナログテレビ放送をスキャン処理の対象から迅速に外すことができるため、スキャン処理の開始時点ｔ0から放送周波数の全伝送帯域についてスキャンし終える時点ｔendまでに要する時間を短縮化することができる。
【００５７】
以上説明したように、本実施形態のデジタル受信機１０によれば、シーク処理又はスキャン処理の際に、３セグメント分の狭い帯域幅ＢＷbに決められた狭帯域フィルタ１５bでＩＦ信号ＩＦ0を帯域制限することによって狭帯域通過信号ＩＦbを生成し、その狭帯域通過信号ＩＦbのスペクトルパワーをレベル検波することで生じるレベル値ＬＤを調べることにより、アナログテレビ放送を受信したかデジタル放送を受信したかの判定を正確に行うことができる。
【００５８】
そして、アナログテレビ放送を受信したと判定すると、直ちに、同調周波数を次の放送チャンネルの周波数に変化させて、受信状態の良好なデジタル放送を検出するための処理に移行するので、シーク処理を完了するまでに要する時間の短縮化、並びにスキャン処理を完了するまでに要する時間の短縮化を図ることができる。
【００５９】
また、技術背景において前述したように、アナログ周波数変更対策が行われたり、地上デジタル放送の放送チャンネルが新たに決められたり、地上デジタル放送の放送チャンネルが変更となった場合でも、本実施形態のデジタル受信機１０によれば、これらの影響を受けることなく、シーク又はスキャン処理の時間を短縮化することができ、ユーザに対して優れた利便性や操作性等を提供することができる。
【００６０】
なお、以上の実施形態の説明では、シーク処理とスキャン処理を開始すると、所定の既定周波数を最初の同調周波数に設定し、良好な受信状態の得られるデジタル放送が検出されるまで、各放送チャンネルのチャンネル帯域幅ずつ同調周波数を変化させていくようになっているが、該同調周波数を他の方法で変化させるようにしてもよい。
【００６１】
変形例として例えば、車両等の移動体に搭載されるデジタル受信機１０に、現在位置を検出するＧＰＳ受信機を設ける。そして、デジタル受信機１０が、放送局側からサービス情報として放送されてくる放送チャンネルリスト情報等を予め制御部１８内の記憶部に記憶しておき、シーク又はスキャン処理を開始すると、ＧＰＳ受信機で検出された現在位置の位置情報に基づいて上述の記憶部を検索し、現在位置の受信エリア内で受信可能な放送チャンネルの周波数を、放送チャンネルリスト情報等から検索する。そして、その受信可能な放送チャンネルの周波数を局発信号ＬＯの同調周波数に設定して、良好な受信状態の得られるデジタル放送を探索するようにしてもよい。
【００６２】
かかる変形例によると、シーク又はスキャン処理の対象とする放送チャンネルを放送周波数の全伝送帯域とせずに、現在位置の受信エリア内で受信可能な放送チャンネルに絞り込むことができるため、シーク又はスキャン処理に要する時間を更に短縮化することが可能となる。
【実施例】
【００６３】
次に、より具体的な実施例について、図３ないし図７を参して説明する。図３（ａ）（ｂ）は、本実施例のデジタル受信機の構成を表したブロック図であり、図２（ａ）と同一又は相当する部分を同一符号で示している。
【００６４】
図３（ａ）において、このデジタル受信機１０は、実施形態で説明したのと同様に、受信アンテナ１１が接続されたＲＦ部１２と、周波数変換部１３、局部発振器１４、ＩＦフィルタ部１５、後段部１６、レベル検波部１７、制御部１８を備え、制御部１８には図示していないＲＡＭ等の記憶部が設けられると共に、ユーザが操作入力を行う操作部が接続されている。
【００６５】
更に、後段部１６は、Ａ／Ｄ変換器１９、復調部２０、デマルチプレクサ（ＤＥＭＡＸ）２１、デコーダ部２２を有して構成されている。
【００６６】
ＩＦフィルタ部１５は、広帯域フィルタ１５aと狭帯域フィルタ１５bと高速のトランジスタ等で形成されたスイッチ素子１５cを備えて構成されている。
【００６７】
そして、デジタルテレビ放送を受信する際には、制御部１８からの切替制御信号Ｃswの指示に従って、スイッチ素子１５cが広帯域フィルタ１５a側に切り替わることで、周波数変換部１３から出力されるＩＦ信号ＩＦ0を広帯域フィルタ１５aに入力する。これにより、広帯域フィルタ１５aで帯域制限された広帯域通過信号ＩＦaだけが出力される。
【００６８】
また、デジタルラジオ放送を受信する際、又はシーク処理若しくはスキャン処理が行われる際には、切替制御信号Ｃswの指示に従って、スイッチ素子１５cが狭帯域フィルタ１５b側に切り替わることで、周波数変換部１３から出力されるＩＦ信号ＩＦ0を狭帯域フィルタ１５bに入力する。これにより、狭帯域フィルタ１５bで帯域制限された狭帯域通過信号ＩＦbだけが出力される。
【００６９】
なお、図３（ｂ）に示すように、広帯域フィルタ１５aと狭帯域フィルタ１５bとの両者の入力端を周波数変換部１３の出力端に接続し、広帯域フィルタ１５aと狭帯域フィルタ１５bの各々の出力端にスイッチ素子１５cを接続して、切替制御信号Ｃswに従って切り替えることで、デジタルテレビ放送を受信する際には、広帯域通過信号ＩＦaだけを出力させ、デジタルラジオ放送を受信する際又はシーク処理若しくはスキャン処理が行われる際には、狭帯域通過信号ＩＦbだけを出力させるように構成してもよい。
【００７０】
また、以下の説明では、スイッチ素子１５cが広帯域フィルタ１５a側に切り替わった場合に、広帯域フィルタ１５aは動作状態、且つ、狭帯域フィルタ１５bは動作停止状態となり、逆に、スイッチ素子１５cが狭帯域フィルタ１５b側に切り替わった場合に、広帯域フィルタ１５aは動作停止状態、且つ、狭帯域フィルタ１５bは動作状態となるとして説明することとする。
【００７１】
更に広帯域フィルタ１５aと狭帯域フィルタ１５bの機能について説明すると、広帯域フィルタ１５aは、図４（ａ）に示すように、通過帯域幅ＢＷaが６ＭＨｚに決められたバンドパスフィルタで形成されており、狭帯域フィルタ１５bは、図４（ｂ）に示すように、通過帯域幅ＢＷbが３セグメント分に相当する１．３８ＭＨｚに決められたバンドパスフィルタで形成されている。
【００７２】
そして、ユーザから指定されたデジタルテレビ放送を受信する通常受信時では、広帯域フィルタ１５aが動作状態となり、図４（ｃ）に例示するようなＩＦ信号ＩＦ0が周波数変換部１３から出力されると、１３セグメント分のスペクトル成分を有する広帯域通過信号ＩＦaを出力する。つまり、広帯域フィルタ１５ａの中心周波数ｆaが、ＩＦ信号ＩＦ0の中心のセグメント（第１セグメント）＃０の中心の周波数に合うように、予め通過帯域幅ＢＷaが設定されており、その結果、１３セグメント分のスペクトル成分を有する広帯域通過信号ＩＦaが広帯域フィルタ１５ａを通過して出力されるようになっている。
【００７３】
また、ユーザから指定されたデジタルラジオ放送を受信する通常受信時では、狭帯域フィルタ１５bが動作状態となる。
【００７４】
そして、図１（ｂ）で説明したように、ＶＨＦ ７チャンネル帯を用いて１セグメント形式で８セグメントの連結送信によって放送されている大阪圏のデジタルラジオ放送を受信した場合、図４（ｄ）に例示するような８セグメント構成となっているＩＦ信号ＩＦ0が周波数変換部１３から出力され、狭帯域フィルタ１５bは、図４（ｇ）に例示するような第１，第２，第３セグメント＃０，＃１，＃２のスペクトル成分を有する狭帯域通過信号ＩＦbを出力する。
【００７５】
つまり、狭帯域フィルタ１５ｂの中心周波数ｆbは、デジタルラジオ放送を受信したときのＩＦ信号ＩＦ0のうち、第１セグメント＃０の中心の周波数に合うように、予め通過帯域幅ＢＷbが設定されており、その結果、上述したように第１，第２，第３セグメント＃０，＃１，＃２のスペクトル成分を有する狭帯域通過信号ＩＦbを出力する。
【００７６】
また、図１（ｃ）で説明したように、ＶＨＦ ７チャンネル帯を用いて５セグメントを１セグメント形式とし残りの３セグメントを３セグメント形式として連結送信される東京圏のデジタルラジオ放送を受信した場合、図４（ｅ）に例示するようなＩＦ信号ＩＦ0が周波数変換部１３から出力され、狭帯域フィルタ１５bは、図４（ｈ）に例示するような第１，第２，第３セグメント＃０，＃１，＃２のスペクトル成分を有する狭帯域通過信号ＩＦbを出力する。
【００７７】
また、シーク処理又はスキャン処理が開始された場合にも、狭帯域フィルタ１５bが動作状態となる。したがって、シーク処理又はスキャン処理中に、大阪圏又は東京圏のデジタルラジオ放送を受信することとなると、図４（ｄ）（ｅ）に例示したようなＩＦ信号ＩＦ0が周波数変換部１３から出力され、更に図４（ｇ）（ｈ）に例示したような３つのセグメント分のスペクトル成分を有する狭帯域通過信号ＩＦbが狭帯域フィルタ１５bから出力される。
【００７８】
また、シーク処理又はスキャン処理中に、デジタルテレビ放送を受信することとなると、周波数変換部１３から、図４（ｃ）に例示したような１３セグメント分のＩＦ信号ＩＦ0が出力され、更に狭帯域フィルタ１５bからは、図４（ｆ）に例示するような３つのセグメント分のスペクトル成分を有する狭帯域通過信号ＩＦbが出力される。
【００７９】
また、シーク処理又はスキャン処理が開始され、アナログテレビ放送を受信することとなった場合には、図５（ｃ）に例示するような狭帯域通過信号ＩＦbが狭帯域フィルタ１５bから出力される。
【００８０】
すなわち、シーク処理又はスキャン処理の際にアナログテレビ放送を受信した場合、図５（ａ）に示す狭帯域フィルタ１５bの通過帯域幅ＷＢaに対して、アナログテレビ放送に関するＩＦ信号ＩＦ0は、図５（ｂ）に例示するようなスペクトルとなる。つまり、映像信号搬送波と音声信号搬送波との間の周波数範囲内に生じるレベルの低いスペクトル成分だけが狭帯域フィルタ１５bを通過するため、図５（ｃ）に示したような狭帯域通過信号ＩＦbが生じる。
【００８１】
そして、図５（ｃ）に示すアナログテレビ放送受信時での狭帯域通過信号ＩＦbのレベル値と、図４（ｆ）（ｇ）（ｈ）に示すデジタル放送（すなわち、デジタルテレビ放送とデジタルラジオ放送）の受信時での狭帯域通過信号ＩＦbのレベル値（ピークレベル）とでは、アナログテレビ放送受信時での狭帯域通過信号ＩＦbのレベル値の方が小さくなる。
【００８２】
そこで、レベル検波部１７には、アナログテレビ放送受信時での狭帯域通過信号ＩＦbのレベル値ＬＤと、デジタル放送受信時での狭帯域通過信号ＩＦbのレベル値ＬＤとの間の所定値を閾値ＴＨＤと決めて予め記憶されている。そして、シーク処理又はスキャン処理の際に、レベル検波部１７が狭帯域通過信号ＩＦbをレベル検波することで求めたレベル値ＬＤと閾値ＴＨＤとを比較し、次式（１）（２）で表される判定条件に基づいて、受信した放送がアナログテレビ放送かデジタル放送かの判定を行ってその判定信号Ｓvを出力するようになっている。
【００８３】
ＬＤ≦ＴＨＤ → アナログテレビ放送を受信中  …(1) 
ＬＤ＞ＴＨＤ → デジタル放送を受信中        …(2)
次に、後段部１６は、広帯域通過信号ＩＦa又は狭帯域通過信号ＩＦbをデジタルデータＤgにアナログデジタル変換して出力するＡ／Ｄ変換器１９と、デジタルデータＤgに対して同期処理、ＦＦＴ、誤り訂正及び復調処理等の各処理を行ってトランスポートストリームＴＳを再生する復調部２０と、トランスポートストリームＴＳを構成しているエレメンタリストリームＥＳやパケッタイズドエレメンタリストリームＰＥＳを音声や映像等のいわゆる属性毎に分離して出力するデマルチプレクサ（ＤＥＭＡＸ）２１と、分離されたエレメンタリストリームＥＳやパケッタイズドエレメンタリストリームＰＥＳをＭＰＥＧ-２ビデオ、ＭＰＥＧ-２ ＡＣＣ等に準拠して復号（デコード）することで、放送番組の映像データＳvdや音声データＳau等を再生して出力するデコーダ部２２とを有して構成されている。
【００８４】
また、復調部２０は、誤り訂正と復調を行う際に、パケットエラーレートのデータＰＥＲと制御情報（ＴＭＣＣ）を制御部１８に供給する。
【００８５】
制御部２１は、デジタル受信機１０の動作を集中制御するマイクロプロセッサ（ＭＰＵ）等で形成され、上述の記憶部を有すると共に、ユーザが所望の操作入力を行うための操作部が接続されている。
【００８６】
更に、制御部２１は、シーク処理とスキャン処理の制御を行う他、通常の受信制御を行う。つまり、制御部２１は、通常受信時では、デコード部２２から出力されるＡＲＩＢ規格に準拠しているデータＤs、すなわち放送局側からサービス情報として配信されてくる受信エリアのデータや各放送局のチャンネル周波数のデータ、番組表データ等のデータＤsを記憶部に記憶する。そして、ユーザから所望のデジタルテレビ放送又はデジタルラジオ放送のチャンネルが操作部を介して選局操作されると、その放送チャンネルの同調周波数を番組表データ等から検索し、選局制御信号Ｃfによって局部発振器１４を制御することにより、その同調周波数に合わせた局発信号ＬＯを発生させる。
【００８７】
次に、かかる構成を有するデジタル受信機１０の動作について、図６及び図７に示すフローチャートを参照して説明する。なお、図６は、シーク処理の動作、図７は、スキャン処理の動作を示している。
〈通常受信時の動作〉
まず、通常受信時の動作を説明する。ユーザからの操作入力によってデジタルテレビ放送の放送チャンネルが選択指定されると、広帯域フィルタ１５aが動作状態、狭帯域フィルタ１５bが動作停止の状態となると共に、局部発振器１４が指定された受信チャンネルに合った同調周波数の局発信号ＬＯを出力する。
【００８８】
そして、広帯域フィルタ１５aを通過した広帯域通過信号ＩＦaに対して後段部１６が上述の復調及びデコード等の所定の処理を行うことにより、映像データＳvdと音声データＳau等を再生し、図示していないデスプレイやスピーカ側へ出力する。
【００８９】
また、ユーザからの操作入力によってデジタルラジオ放送の放送チャンネルが選択指定されると、広帯域フィルタ１５aが動作停止の状態、狭帯域フィルタ１５bが動作状態となると共に、局部発振器１４が、指定された受信チャンネルに合った同調周波数の局発信号ＬＯを出力する。
【００９０】
そして、狭帯域フィルタ１５bを通過した狭帯域通過信号ＩＦbに対して後段部１６が上述の復調及びデコード等の所定の処理を行うことにより、音声データＳau等を再生し、図示していないスピーカ側へ出力する。
【００９１】
〈シーク処理の開始の指示がなされた場合の動作〉
次に、図６を参照してシーク処理の動作を説明する。ユーザが操作部を操作してシーク処理の開始を指定すると、ステップＳ100において、制御部１８が狭帯域フィルタ１５bを動作状態、広帯域フィルタ１５aを動作停止の状態に設定し、それと同時に、ステップＳ101において、局部発振器１４を制御して、局発信号ＬＯの同調周波数を既定周波数（デフォルトの周波数）に設定させる。
【００９２】
これにより、狭帯域フィルタ１５bが、ＩＦ信号ＩＦ0を帯域制限して、狭帯域通過信号ＩＦbを出力する。
【００９３】
次に、ステップＳ102において、レベル検波部１７が、狭帯域通過信号ＩＦbのスペクトルパワーをレベル検波し、その検波したレベル値ＬＤと閾値ＴＨＤとを比較することによりアナログテレビ放送とデジタルテレビ放送のどちらを受信したか判定し、その判定信号Ｓvを制御部１８へ出力する。
【００９４】
そして、制御部１８が、その判定信号Ｓvに基づいて、アナログテレビ放送を受信したことを確認すると（「Ｎｏの場合」）、ステップＳ103に移行して、局部発振器１４を制御することにより次の放送チャンネルを受信すべく同調周波数を迅速に変化させる。つまり、アナログテレビ放送を受信した場合には、同調周波数を迅速に変化させることにより、アナログテレビ放送をシーク処理の対象から外すこととしている。
【００９５】
更にステップＳ104において、制御部１８は、ユーザからシーク処理を終了すべき指示がなされたか判断し、終了すべき指示がなされていた場合（「Ｙｅｓ」の場合）にはシーク処理を強制的に終了し、終了すべき指示がなされていない場合（「Ｎｏ」の場合）にはステップＳ105において、放送周波数の全伝送帯域についてシークし終えたか判断し、未だ（「Ｎｏ」の場合）であれば、ステップＳ102からの処理を繰り返し、放送周波数の全伝送帯域についてシークし終えた場合にはステップＳ101からの処理を繰り返す。
【００９６】
一方、上述のステップＳ102において、制御部１８が判定信号Ｓvに基づいて、デジタル放送を受信したことを確認すると（「Ｙes」の場合）、ステップＳ106に移行して、復調部２０から出力されるパケットエラーレートのデータＰＥＲの値を所定の基準値と比較し、受信状態の良否を判断する。そして、受信状態が良好でないと判断すると、ステップＳ103に移行して、次のチャンネルの放送を受信すべく局部発振器１４を制御することにより同調周波数を変化させる。受信状態が良好であると判断すると、ステップＳ107に移行して、復調部２０から出力される制御情報（ＴＭＣＣ）に基づいて、デジタル放送の種類、すなわちデジタルテレビ放送を受信中かデジタルラジオ放送を受信中か識別する。
【００９７】
つまり、デジタルテレビ放送を受信中であれば、復調部２０は、図４（ｆ）に示した狭帯域通過信号ＩＦbのうちの第１セグメント＃０を復調することで、デジタルテレビ放送であることを示す制御情報（ＴＭＣＣ）を出力するため、制御部１８がこの制御情報（ＴＭＣＣ）に基づいてデジタルテレビ放送を受信中であると識別する。
【００９８】
一方、現行の東京圏で放送されているデジタルラジオ放送を受信中であれば、復調部２０は、図４（ｇ）に示した狭帯域通過信号ＩＦbのうちの第１セグメント＃０を復調することで、東京圏のデジタルラジオ放送であることを示す制御情報（ＴＭＣＣ）を出力するため、制御部１８がこの制御情報（ＴＭＣＣ）に基づいて東京圏のデジタルラジオ放送を受信中であると識別する。
【００９９】
また、現行の大阪圏で放送されているデジタルラジオ放送を受信中であれば、復調部２０は、図４（ｈ）に示した狭帯域通過信号ＩＦbのうちの第１セグメント＃０を復調することで、大阪圏のデジタルラジオ放送であることを示す制御情報（ＴＭＣＣ）を出力するため、制御部１８がこの制御情報（ＴＭＣＣ）に基づいて大阪圏のデジタルラジオ放送を受信中であると識別する。
【０１００】
そして、制御部１８は、デジタルテレビ放送を受信中であると識別すると、ステップＳ109に移行し、その受信したデジタルテレビ放送の放送チャンネルを示す周波数データ（プリセットデータ）を記憶部に記憶させることで選局用データベースを作成し、更に、広帯域フィルタ１５aを動作状態、狭帯域フィルタ１５bを動作停止状態に切り替えることで、そのデジタルテレビ放送を継続して受信すべく制御して、シーク処理を終了する。
【０１０１】
上述のステップＳ107において、制御部１８は、東京圏又は大阪圏のデジタルラジオ放送を受信中であると識別するとステップＳ108に移行する。そして、選局制御信号Ｃfによって、図４（ｄ）（ｅ）に示したデジタルラジオ放送のチャンネル帯域幅（４ＭＨｚ）内の各々のセグメント＃０〜＃６，＃８を夫々受信すべく同調周波数を変化させ、各セグメントについての狭帯域通過信号ＩＦaを復調部２０が復調等する際に出力する制御情報（ＴＭＣＣ）を入力する。
【０１０２】
そして更に、制御部１８は、入力した各々の制御情報（ＴＭＣＣ）に基づいて、東京圏又は大阪圏で放送されているデジタルラジオ放送の放送チャンネルを特定し、次に、ステップＳ109において、その放送チャンネルを示す周波数データ（プリセットデータ）を記憶部に記憶させることで選局用データベースを作成する。
【０１０３】
更に、デジタルラジオ放送を受信中の場合には、制御部１８は、ステップＳ109において、狭帯域フィルタ１５bを動作状態のままにすることで、デジタルラジオ放送を継続して受信するようにして、シーク処理を終了する。
【０１０４】
このように、本実施例のデジタル受信機１０は、シーク処理中にアナログテレビ放送を受信すると、ステップＳ102において、そのアナログテレビ放送をシーク処理の対象から迅速に外すことができるため、シーク処理の開始時点からプリセット完了の時点までに要する時間を短縮化することができる。
〈スキャン処理の開始の指示がなされた場合の動作〉
次に、図７を参照してスキャン処理の動作を説明する。なお、図７において、図６と同一又は相当するステップについては同一符号で示している。
【０１０５】
ユーザが操作部を操作してスキャン処理の開始を指定すると、図６に示したのと同様に、ステップＳ100，Ｓ101において、制御部１８が狭帯域フィルタ１５bを動作状態、広帯域フィルタ１５aを動作停止の状態に設定し、局部発振器１４を制御して、局発信号ＬＯの同調周波数を既定周波数（デフォルトの周波数）に設定させる。
【０１０６】
次に、ステップＳ102において、レベル検波部１７が、狭帯域通過信号ＩＦbのスペクトルパワーをレベル検波し、その検波したレベル値ＬＤと閾値ＴＨＤとを比較することによりアナログテレビ放送とデジタルテレビ放送のどちらを受信したか判定し、その判定信号Ｓvを制御部１８へ出力する。
【０１０７】
そして、制御部１８が、その判定信号Ｓvに基づいて、アナログテレビ放送を受信したことを確認するとステップＳ103に移行して、局部発振器１４を制御することにより次の放送チャンネルを受信すべく同調周波数を迅速に変化させる。つまり、アナログテレビ放送を受信した場合には、同調周波数を迅速に変化させることにより、アナログテレビ放送をシーク処理の対象から外すこととしている。
【０１０８】
更にステップＳ110において、放送周波数の全伝送帯域についてシークし終えたか判断し、未だであれば、ステップＳ102からの処理を繰り返し、放送周波数の全伝送帯域についてシークし終えた場合には、スキャン処理を終了する。
【０１０９】
一方、上述のステップＳ102において、制御部１８が判定信号Ｓvに基づいて、デジタル放送を受信したことを確認すると、ステップＳ106に移行して、復調部２０から出力されるパケットエラーレートのデータＰＥＲの値を所定の基準値と比較し、受信状態の良否を判断する。そして、受信状態が良好でないと判断すると、ステップＳ103に移行して、次のチャンネルの放送を受信すべく局部発振器１４を制御することにより同調周波数を変化させる。受信状態が良好であると判断すると、ステップＳ107に移行して、復調部２０から出力される制御情報（ＴＭＣＣ）に基づいて、デジタル放送の種類、すなわちデジタルテレビ放送を受信中かデジタルラジオ放送を受信中か識別する。
【０１１０】
つまり、デジタルテレビ放送を受信中であれば、復調部２０は、図４（ｆ）に示した狭帯域通過信号ＩＦbのうちの第１セグメント＃０を復調することで、デジタルテレビ放送であることを示す制御情報（ＴＭＣＣ）を出力するため、制御部１８がこの制御情報（ＴＭＣＣ）に基づいてデジタルテレビ放送を受信中であると識別する。
【０１１１】
一方、現行の東京圏で放送されているデジタルラジオ放送を受信中であれば、復調部２０は、図４（ｇ）に示した狭帯域通過信号ＩＦbのうちの第１セグメント＃０を復調することで、東京圏のデジタルラジオ放送であることを示す制御情報（ＴＭＣＣ）を出力するため、制御部１８がこの制御情報（ＴＭＣＣ）に基づいて東京圏のデジタルラジオ放送を受信中であると識別する。
【０１１２】
また、現行の大阪圏で放送されているデジタルラジオ放送を受信中であれば、復調部２０は、図４（ｈ）に示した狭帯域通過信号ＩＦbのうちの第１セグメント＃０を復調することで、大阪圏のデジタルラジオ放送であることを示す制御情報（ＴＭＣＣ）を出力するため、制御部１８がこの制御情報（ＴＭＣＣ）に基づいて大阪圏のデジタルラジオ放送を受信中であると識別する。
【０１１３】
そして、制御部１８は、デジタルテレビ放送を受信中であると識別すると、ステップＳ109に移行し、その受信したデジタルテレビ放送の放送チャンネルを示す周波数データ（プリセットデータ）と、操作部に設けられている選局スイッチとの関連付けを行う選局用データベースを作成し、記憶部にプリセット（記憶）する。
【０１１４】
次に、制御部１８は、ステップＳ103に移行して、次のチャンネルの放送を受信すべく局部発振器１４を制御することにより同調周波数を変化させ、ステップＳ110において、放送周波数の全伝送帯域についてシークし終えたか判断し、未だであれば、ステップＳ102からの処理を繰り返し、放送周波数の全伝送帯域についてシークし終えた場合には、スキャン処理を終了する。
【０１１５】
このように、本実施例のデジタル受信機１０は、スキャン処理中にアナログテレビ放送を受信すると、ステップＳ102において、そのアナログテレビ放送をシーク処理の対象から迅速に外すことができるため、スキャン処理の開始時点から地上デジタル放送の全ての伝送帯域に亘ってスキャンを完了するまでに要する時間を短縮化することができる。
【０１１６】
また、本実施例のデジタル受信機１０では、シーク処理とスキャン処理の際に、デジタルラジオ放送を受信するために設けられている狭帯域フィルタ１５bを使用して、アナログテレビ放送を受信したかデジタル放送を受信したかの判定を行うための狭帯域通過信号ＩＦbを生成している。このため、シーク処理とスキャン処理を行うための専用の狭帯域フィタを追加しなくともよく、構成要素の効率的活用を図ることができ、また、部品点の低減化を図ることが可能である。
【０１１７】
なお、以上の実施例の説明では、シーク処理とスキャン処理を開始すると、所定の既定周波数を最初の同調周波数に設定し、良好な受信状態の得られるデジタル放送が検出されるまで、各チャンネルの帯域幅ずつ同調周波数を変化させていくようになっているが、前述の実施形態における変形例と同様に、ＧＰＳ受信機で受信した現在位置情報に基づいて、シーク処理とスキャン処理を行うためのチャンネルの絞り込みを行うようにしてもよい。
【０１１８】
すなわち、車両等の移動体に搭載されるデジタル受信機１０に、現在位置を検出するＧＰＳ受信機を設ける。そして、デジタル受信機１０が放送局側からサービス情報として配信されてくる受信エリアのデータや各放送局のチャンネル周波数のデータ、番組表データ等を予め制御部１８内の記憶部に記憶しておき、シーク又はスキャン処理を開始すると、ＧＰＳ受信機で検出された現在位置の位置情報に基づいて上述の記憶部を検索し、現在位置の受信エリア内で受信可能なチャンネル周波数を検索する。そして、その受信可能なチャンネルの周波数を局発信号ＬＯの同調周波数に設定して、良好な受信状態の得られるデジタル放送を検出するようにしてもよい。
【０１１９】
かかる変形例によると、シーク又はスキャン処理の対象とするチャンネルを絞り込むことができるため、シーク又はスキャン処理に要する時間を更に短縮化することが可能となる。
【０１２０】
また、以上の実施形態と実施例で述べたデジタル受信機１０では、狭帯域フィルタ１５bの通過帯域幅ＢＷbが、３セグメント分に相当する１．３８ＭＨzに固定されているが、デジタルラジオ放送を受信する通常受信時では、この通過帯域幅１．３８ＭＨzに設定し、シーク処理又はスキャン処理を行う際には、１セグメント以上、３セグメント以下に相当する何れかの通過帯域幅に可変調整する可変バンドパスフィルタで形成するようにしてもよい。
【０１２１】
また、狭帯域フィルタ１５bは、１セグメント以上、３セグメント以下に相当する何れかの通過帯域幅に決められた専用の狭帯域フィルタにしておき、別個に、デジタルラジオ放送を受信する通常受信時にＩＦ信号ＩＦ0を供給する狭帯域フィルタ（３セグメント分に相当する１．３８ＭＨzの通過帯域幅に決められたバンドパスフィルタ）を設けてもよい。そして、デジタルラジオ放送を受信する通常受信時では、上記別個の狭帯域フィルタを通過した狭帯域通過信号を後段部１６側へ供給し、シーク処理又はスキャン処理の際には、専用の狭帯域フィルタ１５bを通過した狭帯域通過信号をレベル検波部１７と後段部１９側へ供給するようにしてもよい。
【図面の簡単な説明】
【０１２２】
【図１】従来のデジタル受信機の構成及び機能を説明するための図である。
【図２】本発明の実施形態に係るデジタル受信機の構成、機能、動作を説明するための図である。
【図３】より具体的な実施例に係るデジタル受信機の構成を表したブロック図である。
【図４】図３に示した広帯域フィルタと狭帯域フィルタの特性及び機能を説明するための図である。
【図５】更に図３に示した広帯域フィルタと狭帯域フィルタの特性及び機能と、レベル検波部の機能を説明するための図である。
【図６】図３に示したデジタル受信機のシーク処理の際の動作を説明するためのフローチャートである。
【図７】図３に示したデジタル受信機のスキャン処理の際の動作を説明するためのフローチャートである。
【符号の説明】
【０１２３】
１０…デジタル受信機
１５b…狭帯域フィルタ
１７…レベル検波部
１８…制御部
【図１】
2006115149.tif 000003
【図２】
2006115149.tif 000004
【図３】
2006115149.tif 000005
【図４】
2006115149.tif 000006
【図５】
2006115149.tif 000007
【図６】
2006115149.tif 000008
【図７】
2006115149.tif 000009